(57)【要約】      （修正有）【課題】形状追従性に富み、主として一方向からの視認性に優れて消費電力を抑制できる装飾照明装置を提供する。【解決手段】可撓性、防水性及び透光性を有し、主要断面が矩形断面とされたチューブ１６と、チューブ内に収容され、発光光が矩形断面の一面に対して直角方向に指向するように、電力供給線に複数直列に接続されたＬＥＤ光源１３と、を備え、チューブが、文字、図形、記号その他の形状を模った形状に形成されている。【選択図】図１
0003191036.tif 000002
【実用新案登録請求の範囲】
【請求項１】
可撓性、防水性及び透光性を有し、主要断面が矩形断面とされたチューブと、
前記チューブ内に収容され、発光光が前記矩形断面の一面に対して直角方向に指向するように、電力供給線に複数直列に接続されたＬＥＤ光源と、を備える装飾照明装置。
【請求項２】
前記チューブが、文字、図形、記号その他の形状を模った形状に形成されている請求項１に記載の装飾照明装置。
【請求項３】
前記ＬＥＤ光源は、前記電力供給線の一部を構成する導電パターンが形成された可撓性を有する基板に実装され、
前記電力供給線の残余が、前記矩形断面の隅部に挿通され、
前記電力供給線の残余の一方と前記導電パターンの一端が電気的に接続され、前記電力供給線の残余の他方と前記導電性パターンの他端が電気的に接続されている請求項１又は２に記載の装飾用照明装置。
【請求項４】
前記矩形断面の前記基板の背面に、前記チューブの長手方向に延在する溝部が形成されている請求項３に記載の装飾照明装置。
【請求項５】
前記電力供給線に抵抗回路が接続されている請求項１〜４のいずれか一項に記載の装飾照明装置。
【考案の詳細な説明】
【技術分野】
【０００１】
本考案は、文字・図形・記号その他の形状を模ったイルミネーションなどに用いて好ましい装飾照明装置に関するものである。
【背景技術】
【０００２】
従来、文字などの形状を模ったネオン管を商業広告などのイルミネーションに用いたものが知られている（特許文献１）。
【先行技術文献】
【特許文献】
【０００３】
【特許文献１】特開２０１０−１２００８号公報
【考案の概要】
【考案が解決しようとする課題】
【０００４】
しかしながら、ネオン管や蛍光灯は文字などを模ろうとしても限界があり、複雑な文字や角度が鋭い場合には模れないことがある。また、ネオン管や蛍光灯は３６０°全方位に対して発光するためどの方向からも視認できる反面、壁などに設けて一方向からのみ見る場合は電力が無駄になるという欠点がある。
【０００５】
本考案が解決しようとする課題は、形状追従性に富み、主として一方向からの視認性に優れて消費電力を抑制できる装飾照明装置を提供することである。
【課題を解決するための手段】
【０００６】
本考案は、可撓性及び透光性を有するチューブ内に、それぞれの発光面が同一方向を指向するように複数の発光ダイオード素子を配置することにより、上記課題を解決する。
【考案の効果】
【０００７】
本考案によれば、可撓性及び透光性を有するチューブにより装飾照明装置の外装体を構成し、また発光体が発光ダイオードであるため、文字・図形・記号その他の、模るべき形状が複雑かつ鋭角に屈曲していても容易に模ることができる。また、発光ダイオードは発光面が同一方向に指向されて配置されているので、視認方向以外への余計な光エネルギがなく、無駄な電力の消費を抑制することができる。
【図面の簡単な説明】
【０００８】
【図１】本考案の一実施の形態に係る装飾照明装置を示す斜視図である。
【図２】図１の装飾照明装置を示す電気回路図である。
【図３】（Ａ）は図１の装飾照明装置のＬＥＤ及びＦＣＰを示す平面図、（Ｂ）はその背面図、（Ｃ）はIIIC-IIICに沿う断面図である。
【図４】図１のIV-IV線に沿う断面図である。
【考案を実施するための形態】
【０００９】
本考案に係る装飾照明装置１は、家屋内外に設けられ、文字・図形・記号その他の形状を模ったイルミネーションとして機能する照明装置であり、たとえば図１に示すようにアルファベットのＲを模る形状とすることができる。本例の装飾照明装置１は、商用交流電源２に接続される差し込みプラグ１１と、当該差し込みプラグ１１を一端に有しＡＣ／ＤＣアダプタ１２を介してＬＥＤ光源１３へ電力を供給する電力供給線１４と、交流電力を整流して直流電力に変換するＡＣ／ＤＣアダプタ１２と、複数のＬＥＤ光源１３と、変換された直流電力をＬＥＤ光源の定格電圧に調整する複数の抵抗回路１５と、を備える。図２に電気回路図を示す。なお、複数のＬＥＤ光源１３の間の電力供給線１８には、各ＬＥＤ光源１３に印加される電圧を調整するための抵抗回路１５が直列に接続されているが、この抵抗回路１５は必要に応じて省略し、ＡＣ／ＤＣアダプタ１２にてＬＥＤ光源１３の定格電圧を考慮した電圧まで降圧してもよい。
【００１０】
本例のＡＣ／ＤＣアダプタ１２は、変圧回路と整流回路と必要に応じて安定化回路を備え、コンセントから供給される商用交流電力を変圧回路によって降圧させたのち整流回路によって整流し、シリーズレギュレータやスイッチングレギュレータなどの安定化回路を経由することで直流電力を出力する。
【００１１】
本例の装飾照明装置１は、発光部分として可撓性、防水性及び透光性を有し、主要断面が矩形断面とされたチューブ１６と、このチューブ１６内に収容された複数のＬＥＤ光源１３と、を備える。チューブ１６は、透明又は半透明の透光性を有する、ポリ塩化ビニルなどの合成樹脂から構成され、その外形断面が長方形や正方形などの矩形とされている。図４の断面図に示すように、ポリ塩化ビニル樹脂により一体的に生成されたチューブ１６は、内部に断面が一様な矩形の空間１６Ｂを有し、この空間１６Ｂに複数のＬＥＤ光源１３が実装された帯状のフレキシブル基板１７が収容されている。
【００１２】
また図４に示すように、チューブ１６の下側の隅部には、電力供給線１４の一対の電線に接続された一対の電力供給線１８，１８が、挿通され、その間に溝部１６Ａがチューブ１６の延在方向に一様に形成されている。溝部１６Ａは、チューブ１６の可撓性をより高める効果を奏する。特に両端に電力供給線１８，１８が挿通されると、チューブ１６の可撓性が低下するため、溝部１６Ａを形成することでこれを補うことができる。
【００１３】
図１に戻り、チューブ１６の基端１６Ｃは、電気コードである電力供給線１４の一対の電線に接続されたうえで封止され、チューブ１６の先端１６Ｄも封止されている。これにより、チューブ１６内は防水状態となり、風雨に曝される屋外においても使用することができる。
【００１４】
本例のＬＥＤ光源１３は、可撓性を有するフレキシブル基板１７に所定間隔をおいて実装されている。図３（Ａ），（Ｂ）は、この基板１７を示す平面図及び背面図であり、図３（Ｃ）は図３（Ａ）のIIIC-IIIC線に沿う断面図である。本例のフレキシブル基板１７は、ポリイミドやポリエステルなどから構成され基材となる第１絶縁性フィルム１７Ｃと、当該絶縁性フィルム１７Ｃの表面に形成され銅箔などからなる導電性パターン層１７Ｂと、フレキシブル基板１７の表面を構成する第２絶縁性フィルム１７Ａと、の三層構造とされている。
【００１５】
そして、第１絶縁性フィルム１７Ｃはフレキシブル基板１７の全域に延在するが、導電性パターン１７Ｂは、図３（Ｂ）に示すようにＬＥＤ光源を構成するＬＥＤチップ１３と、抵抗回路を構成する抵抗チップ１５とを実装する部位で分断され、この分断された両パターンを跨ぐようにＬＥＤチップ１３や抵抗チップ１５が実装されることにより、図２に示すように複数のＬＥＤ光源１３と抵抗回路１５とが直列に接続されることになる。なお、フレキシブル基板１７の表面を構成する第２絶縁性フィルム１７Ａは、ＬＥＤチップ１３及び抵抗チップ１５の実装部位において切り欠かれている。
【００１６】
また、図３（Ｂ）に示す導電性パターン１７Ｂの基端及び先端は、チューブ１６の基端１６Ｃから先端１６Ｄまで延在し、最も基端側の導電性パターン１７Ｂに電力供給線１８，１８の一方（たとえばプラス側）が電気的に接続され、最も先端側の導電性パターン１７Ｂに電力供給線１８，１８の他方（たとえばマイナス側）が電気的に接続されている。
【００１７】
以上のように、本例の装飾照明装置１によれば、複数のＬＥＤ光源１３がフレキシブル基板１７の一面に沿って実装された状態で可撓性を有する断面矩形のチューブ１６の内部空間１６Ｂに収容されているので、図１に示すように、予めチューブ１６をＲ字状に曲げて成形するか、あるいは直線状に成形したチューブ１６をＲ字状に曲げて固定手段により固定することで、文字Ｒを模ったイルミネーションとして用いることができる。勿論、ＬＥＤ光源１３であることからチューブ１６を屈曲しても発光が抑制されることはなく、しかも本例のＬＥＤ光源１３はフレキシブル基板１７の一面に実装されて一方向にのみ指向性を有するので、こうした用途に適用すると無駄な電力の消費を抑制することができる。
【符号の説明】
【００１８】
１…装飾照明装置
１１…差し込みプラグ
１２…ＡＣ／ＤＣアダプタ
１３…ＬＥＤ光源
１４…電気コード（電力供給線）
１５…抵抗回路
１６…チューブ
１６Ａ…溝部
１６Ｂ…内部空間
１６Ｃ…基端
１６Ｄ…先端
１７…フレキシブル基板
１７Ａ…第２絶縁性フィルム
１７Ｂ…導電性パターン
１７Ｃ…第１絶縁性フィルム
１８…電力供給線
２…商用交流電源
【図１】
0003191036.tif 000003
【図２】
0003191036.tif 000004
【図３】
0003191036.tif 000005
【図４】
0003191036.tif 000006